(57)【要約】【課題】移動通信端末において、ＲＦＩＤタグを設けた医療機器との接近を回避する行動をとることができることを目的とする。【解決手段】無線通信部を備えた移動通信端末であって、識別情報と状態情報を設定された内部ＲＦＩＤタグと、自端末から所定範囲にあるＲＦＩＤタグの情報を読み取るＲＦＩＤタグ読み取り部と、前記ＲＦＩＤタグ読み取り部で読み取ったＲＦＩＤタグの状態情報に基づいて前記内部ＲＦＩＤタグの状態情報を書き換えるＲＦＩＤタグ書き換え部と、警報を提示する警報部と、前記ＲＦＩＤタグ書き換え部で書き換えられた前記内部ＲＦＩＤタグの状態情報に基づいて前記無線通信部の出力電波強度を変更し前記警報部に警報を提示させる制御部と、を有する。【選択図】    図２
2011030018.tif 000002
【特許請求の範囲】
【請求項１】
無線通信部を備えた移動通信端末であって、
識別情報と状態情報を設定された内部ＲＦＩＤタグと、
自端末から所定範囲にあるＲＦＩＤタグの情報を読み取るＲＦＩＤタグ読み取り部と、
前記ＲＦＩＤタグ読み取り部で読み取ったＲＦＩＤタグの状態情報に基づいて前記内部ＲＦＩＤタグの状態情報を書き換えるＲＦＩＤタグ書き換え部と、
警報を提示する警報部と、
前記ＲＦＩＤタグ書き換え部で書き換えられた前記内部ＲＦＩＤタグの状態情報に基づいて前記無線通信部の出力電波強度を変更し前記警報部に警報を提示させる制御部と、
を有することを特徴とする移動通信端末。
【請求項２】
請求項１記載の移動通信端末において、
前記自端末から所定範囲にあるＲＦＩＤタグは、医療機器又は他の移動通信端末に設けられている
ことを特徴とする移動通信端末。
【請求項３】
請求項２記載の移動通信端末において、
前記ＲＦＩＤタグ書き換え部は、前記ＲＦＩＤタグ読み取り部で読み取ったＲＦＩＤタグの状態情報のうち最も許容程度が小さい値の状態情報に対し１つだけ大きい値の状態情報を用いて前記内部ＲＦＩＤタグの状態情報を書き換える
ことを特徴とする移動通信端末。
【請求項４】
請求項３記載の移動通信端末において、
前記制御部は、前記内部ＲＦＩＤタグの状態情報の値が所定値であるとき前記無線通信部の出力電波強度を低下させる
ことを特徴とする移動通信端末。
【請求項５】
無線通信部と、識別情報と状態情報を設定された内部ＲＦＩＤタグと、警報を提示する警報部とを備えた移動通信端末の制御方法であって、
自端末から所定範囲にあるＲＦＩＤタグの情報を読み取り、
読み取ったＲＦＩＤタグの状態情報に基づいて前記内部ＲＦＩＤタグの状態情報を書き換え、
書き換えられた前記内部ＲＦＩＤタグの状態情報に基づいて前記無線通信部の出力電波強度を変更し前記警報部に警報を提示させる
ことを特徴とする移動通信端末の制御方法。
【請求項６】
請求項５記載の制御方法において、
前記自端末から所定範囲にあるＲＦＩＤタグは、医療機器又は他の移動通信端末に設けられている
ことを特徴とする制御方法。
【発明の詳細な説明】
【技術分野】
【０００１】
本発明は、無線通信部を備えた移動通信端末及びその制御方法に関する。
【背景技術】
【０００２】
近年、携帯電話機、携帯型パーソナルコンピュータ、ＰＤＡ（Ｐｅｒｓｏｎａｌ  Ｄｉｇｉｔａｌ  Ａｓｓｉｓｔａｎｔｓ）等の無線通信機能を備えた移動通信端末が増大している。
【０００３】
従来から、無線通信機能を備えた移動通信端末が医療機器等の他の電子機器に影響を与えるために使用を禁止された病院等に立ち入る場合には、ユーザは自ら移動通信端末の電源を遮断することが求められている。
【０００４】
建物の出入り口付近に信号発信器を設けておき、携帯型情報機器において信号発信器からの受信情報を監視し、受信情報が電源オン／オフや受信音オフ等を示す場合、予め設定した制御方法に基づき電波受発信部を制御して携帯型情報機器の電源オン／オフや受信音オフを行うことが提案されている（例えば特許文献１参照）。
【０００５】
また、ペースメーカと一体化したタグ等の発信器からの電波信号を移動電話装置で検出すると、移動電話装置からの電波出力強度を低減させ、また、例えば警告音を出力して携帯電話の持ち主や周囲に警告を行う提案がされている（例えば特許文献２参照）。
【０００６】
また、施設やエリアの入り口にＩＣタグリーダ／ライタを設け、入り口を通る際に携帯通信端末のＩＣタグのモードをマナーモードやオフモードに書き換え、施設やエリアに入る携帯通信端末を自動的にマナーモードやオフモードとすることが提案されている（例えば特許文献３参照）。
【先行技術文献】
【特許文献】
【０００７】
【特許文献１】特開平１０−９８７６５号公報
【特許文献２】特開２００３−１６９３８１号公報
【特許文献３】特開２００５−２７７９７３号公報
【発明の概要】
【発明が解決しようとする課題】
【０００８】
ペースメーカ等の医療機器はこれを利用する人と共に移動する。このような医療機器に対して、無線通信機能を備えた移動通信端末が不用意に接近し、当該医療機器に影響を及ぼす危険があった。このため、電車等においては優先席を明示し、その近傍で移動通信端末の電源をオフにするようアナウンスすることで対応している。しかし、医療機器利用者は、優先席付近にだけいるとは限らず、乗降や、席の確保のために車内を移動する場合があり、移動通信端末が当該医療機器に影響を及ぼす危険があった。
【０００９】
また、従来のペースメーカと一体化したタグ等の発信器からの電波信号を移動電話装置で検出する方法では、図１（Ａ）に示すように、タグを一体化したペースメーカＰから所定範囲にある移動電話装置Ｃ１，Ｄ１，Ｅ１において電波信号が検出される。この結果、Ｃ１，Ｄ１，Ｅ１は電波出力強度を低減させ、警告音を出力する。この後、図１（Ｂ）に示すように、ペースメーカＰが移動すると、移動電話装置Ｃ１，Ｂ１において電波信号が検出され、移動電話装置Ｃ１，Ｂ１は電波出力強度を低減し警告音を出力する。
【００１０】
図１（Ａ）に示す状態では、移動電話装置Ｂ１はペースメーカＰが移動して接近することを知ることができず、図１（Ｂ）に示す状態になって初めて移動電話装置Ｂ１はペースメーカＰが接近したことを知ることができる。このとき、移動電話装置Ｂ１は電波出力強度が低減するため通話が切れることになり、通話を維持するためにペースメーカとの接近を回避する行動をとることができないという問題があった。
【００１１】
開示の移動通信端末は、ＲＦＩＤタグを設けた医療機器との接近を回避する行動をとることができることを目的とする。
【課題を解決するための手段】
【００１２】
開示の一実施形態による移動通信端末は、
無線通信部を備えた移動通信端末であって、
識別情報と状態情報を設定された内部ＲＦＩＤタグと、
自端末から所定範囲にあるＲＦＩＤタグの情報を読み取るＲＦＩＤタグ読み取り部と、
前記ＲＦＩＤタグ読み取り部で読み取ったＲＦＩＤタグの状態情報に基づいて前記内部ＲＦＩＤタグの状態情報を書き換えるＲＦＩＤタグ書き換え部と、
警報を提示する警報部と、
前記ＲＦＩＤタグ書き換え部で書き換えられた前記内部ＲＦＩＤタグの状態情報に基づいて前記無線通信部の出力電波強度を変更し前記警報部に警報を提示させる制御部と、を有する。
【発明の効果】
【００１３】
本実施形態によれば、ＲＦＩＤタグを設けた医療機器との接近を回避する行動をとることができる。
【図面の簡単な説明】
【００１４】
【図１】従来技術を説明するための図である。
【図２】移動通信端末の一実施形態の構成図である。
【図３】ＲＦＩＤタグのデータ構成の一実施形態を示す図である。
【図４】移動通信端末が実行する近隣状態認識処理の一実施形態のフローチャートである。
【図５】リード要求信号と応答信号の一実施形態のフォーマットを示す図である。
【図６】ＲＦＩＤタグ情報テーブルのデータ構成の一実施形態を示す図である。
【図７】警報及び出力切り替え処理の一実施形態のフローチャートである。
【図８】ＲＦＩＤタグネットワークの一実施形態の構成図である。
【図９】図８の状態で移動通信端末が実行する近隣状態認識シーケンスである。
【図１０】図８の状態で移動通信端末が実行する近隣状態認識シーケンスである。
【図１１】図８の状態で移動通信端末が実行する近隣状態認識シーケンスである。
【図１２】ＲＦＩＤタグネットワークの一実施形態の構成図である。
【図１３】図１２の状態で移動通信端末が実行する近隣状態認識シーケンスである。
【図１４】図１２の状態で移動通信端末が実行する近隣状態認識シーケンスである。
【図１５】図１２の状態で移動通信端末が実行する近隣状態認識シーケンスである。
【発明を実施するための形態】
【００１５】
以下、図面に基づいて実施形態を説明する。
【００１６】
＜移動通信端末の構成＞
図２は移動通信端末の一実施形態の構成図を示す。図２において、移動通信端末１０の無線通信部１１は、移動通信網２０と無線接続して無線通信を行う。
【００１７】
ＲＦＩＤタグ読み取り部１２は、移動通信端末１０の外部にあるＲＦＩＤ（Ｒａｄｉｏ  Ｆｒｅｑｕｅｎｃｙ  ＩＤｅｎｔｉｆｉｃａｔｉｏｎ）タグ３０の読み取りを行って読み取ったＲＦＩＤタグ情報を制御部１６に供給する。なお、本実施形態では、ＲＦＩＤタグ３０としては心臓ペースメーカ等の医療機器に設けられたＲＦＩＤタグや、他の移動通信端末に内蔵されたＲＦＩＤタグ等が挙げられる。
【００１８】
ＲＦＩＤタグ書き換え部１３は、制御部１６の制御によって自らの移動通信端末１０の内部に搭載している内部ＲＦＩＤタグ１４の書き換えを行う。
【００１９】
記憶部１５は、制御部１６で実行するプログラム、及びＲＦＩＤタグ情報テーブル等を格納するデータベースを記憶する。
【００２０】
制御部１６は、記憶部１５に記憶されたプログラムを実行し、無線通信部１１、ＲＦＩＤタグ読み取り部１２、ＲＦＩＤタグ書き換え部１３、警報部１７等の制御を行う。警報部１７は、制御部１６の指示により警報を所有者に対し提示する。警報は例えば警報メッセージを音声出力することやディスプレイ表示することで提示する。
【００２１】
ところで、移動通信端末１０の外部に配置されているＲＦＩＤタグリーダ４０は、移動通信端末１０の外部のＲＦＩＤタグ３０及び移動通信端末１０の内部ＲＦＩＤタグ１４の情報を読み取ることができる。
【００２２】
なお、ＲＦＩＤタグ読み取り部１２及びＲＦＩＤタグリーダ４０それぞれは自装置から数ｃｍから数ｍ程度の所定範囲に存在するＲＦＩＤタグの情報を読み取ることができ、所定範囲を超えるとＲＦＩＤタグの情報を読み取ることはできない。
【００２３】
なお、上記実施形態では、ＲＦＩＤタグ１４，３０としてパッシブタグを用いているが、アクティブタグを用いるものであっても良い。
【００２４】
図３に内部ＲＦＩＤタグ１４及びＲＦＩＤタグ３０のデータ構成の一実施形態を示す。ＲＦＩＤタグ１４，３０は、ＲＦＩＤ部と、状態部とを有している。ＲＦＩＤ部には「１２３４５６７８９０」等の固有の識別番号情報が設定されており、状態部には状態情報として電波許容又は接近許容の許容程度を表すステータス「◎」，「○」，「△」，「×」が設定される。ペースメーカに設けられたＲＦＩＤタグ３０ではステータス「×」が設定される。
【００２５】
なお、ステータス「◎」の代りに電波許容又は接近許容の許容程度を表すステータス番号＃５、ステータス「○」の代りにステータス番号＃４、「○」の代りにステータス番号＃３、ステータス「△」の代りにステータス番号＃２、ステータス「×」の代りにステータス番号＃１を設定しても良い。
【００２６】
＜近隣状態認識処理のフローチャート＞
図４は移動通信端末が実行する近隣状態認識処理の一実施形態のフローチャートを示す。この処理は、所定時間間隔で定期的に実行される。なお、移動通信端末１０は電源投入時にＲＦＩＤタグ書き換え部１３により内部ＲＦＩＤタグ１４にステータス「◎」又はステータス番号＃５を書き込んで初期設定している。
【００２７】
図４において、ステップＳ１でＲＦＩＤタグ読み取り部１２はリード要求信号を報知する。移動通信端末１０から所定範囲に一又は複数のＲＦＩＤタグが存在する場合には、当該ＲＦＩＤタグはＲＦＩＤ部に自タグの識別番号を格納した応答信号を返送する。この場合には状態部にステータスを格納していなくても良い。移動通信端末１０のＲＦＩＤタグ読み取り部１２は、一又は複数のＲＦＩＤタグからの応答信号を受信し、各応答信号の識別番号を記憶部１５のＲＦＩＤタグ情報テーブルに格納する。
【００２８】
次のステップＳ２からＳ８までは、記憶部１５のＲＦＩＤタグ情報テーブルに格納されている識別番号の数だけ繰り返すループ処理が実行される。ステップＳ３ではＲＦＩＤタグ情報テーブルに格納されている識別番号を１つ読み出し、ＲＦＩＤタグ読み取り部１２は読み出した識別番号を宛先とするリード要求信号を生成して送信する。図５（Ａ）にリード要求信号の一実施形態のフォーマットを示す。リード要求信号は、信号コード部に「リード要求」を示すコードが設定され、読み出し対象ＲＦＩＤ部に読み出し対象ＲＦＩＤタグの識別番号「１２３４５６７８９０」が設定されている。
【００２９】
上記リード要求信号を受信したＲＦＩＤタグは、リード要求信号の宛先の識別番号と自ＲＦＩＤタグの識別番号が一致する場合、ＲＦＩＤ部に自タグの識別番号を格納し、状態部にステータス又はステータス番号を格納した応答信号を返送する。図５（Ｂ）に応答信号の一実施形態のフォーマットを示す。応答信号は、信号コード部に「応答」を示すコードが設定され、送信元ＲＦＩＤ部に送信元ＲＦＩＤタグの識別番号「１２３４５６７８９０」が設定され、状態部にステータス「△」又はステータス番号＃４が設定されている。
【００３０】
ＲＦＩＤタグ読み取り部１２はステップＳ４でリード要求信号を送信した相手から応答信号を受信したか否かを判別する。応答信号を受信した場合、ＲＦＩＤタグ読み取り部１２はステップＳ５で応答信号の状態部からステータス又はステータス番号を取り出して、取得状態（ステータス又はステータス番号）として制御部１６に供給する。
【００３１】
次にステップＳ６で制御部１６は、（１）式により、前回のループ時に設定された［近隣状態］とステップＳ５で応答信号から取り出した［取得状態］とを比較し、近隣状態と取得状態のうち小さい方の状態を新たな近隣状態に設定して更新する。ここで、ステータスは「◎」＞「○」＞「△」＞「×」の順で小さくなるものとし、ステータス番号は＃４＞＃３＞＃２＞＃１の順で小さくなるものとする。
【００３２】
［近隣状態］＝ｍｉｎ（［近隣状態］，［取得状態］）          …（１）
【００３３】
ステップＳ７で制御部１６は、ステップＳ５で応答信号から取り出した取得状態（ステータス又はステータス番号）を記憶部１５のＲＦＩＤタグ情報テーブルの中で送信元ＲＦＩＤタグの識別番号に対応するエントリの状態部に格納する。
【００３４】
図６にＲＦＩＤタグ情報テーブルのデータ構成の一実施形態を示す。ＲＦＩＤタグ情報テーブルはＲＦＩＤ部に応答信号から得た識別番号が格納され、状態部に応答信号から得たステータス又はステータス番号が格納される。
【００３５】
ステップＳ４でリード要求信号を送信した相手から応答信号を受信できなかった場合にはステップＳ８に進み、次のループ処理を実施形態する。
【００３６】
これにより、ループ処理が終了したとき、応答信号を返送したＲＦＩＤタグのうち最もステータスが小さいＲＦＩＤタグのステータス又はステータス番号が近隣状態に設定されている。
【００３７】
ループ処理が終了すると、ステップＳ９で制御部１６は、（２）式により、［近隣状態］から次の［状態］を決定し、ＲＦＩＤタグ書き換え部１３によって内部ＲＦＩＤタグ１４の状態部の値を、次の［状態］の内容に書き換え、この処理を終了する。
【００３８】
［状態］＝ｎｅｘｔ（［近隣状態］）          …（２）
【００３９】
ここで、近隣状態がステータス「◎」のとき次の状態はステータス「◎」であり、近隣状態がステータス「○」のとき次の状態はステータス「◎」であり、近隣状態がステータス「△」のとき次の状態はステータス「○」であり、近隣状態が「×」のとき次の状態はステータス「△」である。また、近隣状態がステータス番号＃４のとき次の状態はステータス番号＃４であり、近隣状態がステータス番号＃３のとき次の状態はステータス番号＃４であり、近隣状態がステータス番号＃２のとき次の状態はステータス番号＃３であり、近隣状態がステータス番号＃１のとき次の状態はステータス番号＃２である。つまり、次の状態は近隣状態に対し一つだけ大きいステータス又はステータス番号を設定する。
【００４０】
＜近隣状態認識処理のフローチャート＞
図７は移動通信端末が実行する警報及び出力切り替え処理の一実施形態のフローチャートを示す。この処理は、移動通信端末の内部ＲＦＩＤタグ１４の状態部の値が書き換えられたときに実行される。
【００４１】
図７において、ステップＳ１１で制御部１６は内部ＲＦＩＤタグ１４の状態部の値がステータス「△」又はステータス番号＃２であるか否かを判別する。ステータス「△」又はステータス番号＃２であればステップＳ１２で制御部１６は無線通信部１１が出力する送信信号の電波強度を通常の電波強度からペースメーカＰが誤動作を生じない程度に低下させる。また、ステップＳ１３で制御部１６は警報部１７を用いて「ペースメーカ使用者が隣にいます。」等の警報メッセージを音声及び／又はディスプレイ表示等により移動通信端末の所有者に提示して、この処理を終了する。
【００４２】
ステップＳ１１で内部ＲＦＩＤタグ１４の状態部の値がステータス「△」又はステータス番号＃２でなければ、ステップＳ１４で制御部１６は無線通信部１１が出力する送信信号の電波強度を通常の電波強度とする。そして、ステップＳ１５で制御部１６は内部ＲＦＩＤタグ１４の状態部の値がステータス「○」又はステータス番号＃３であるか否かを判別する。ステータス「○」又はステータス番号＃３であればステップＳ１６で制御部１６は警報部１７を用いて「ペースメーカ使用者が近付いてきました。」等の警報メッセージを音声及び／又はディスプレイ表示等により移動通信端末の所有者に提示する。
【００４３】
このステップＳ１５の実行後、又はステップＳ１４で内部ＲＦＩＤタグ１４の状態部の値がステータス「○」又はステータス番号＃３でなければ、この処理を終了する。
【００４４】
＜ＲＦＩＤタグネットワーク構成＞
図８はＲＦＩＤタグネットワークの一実施形態の構成図を示す。図８においては、ペースメーカＰに併設されたＲＦＩＤタグと、図１に示す構成の移動通信端末Ａ，Ｂ，Ｃ，Ｄ，Ｅ，Ｆ，Ｇ，Ｈ，Ｉそれぞれの内部ＲＦＩＤタグ１４とによってＲＦＩＤタグネットワークが構成されている。
【００４５】
ここで、ペースメーカＰから所定範囲内に移動通信端末Ｃ，Ｄ，Ｅが存在し、移動通信端末Ｃから所定範囲内に移動通信端末Ｂが存在し、移動通信端末Ｄから所定範囲内に移動通信端末Ｆが存在し、移動通信端末Ｅから所定範囲内に移動通信端末Ｇが存在している。また、移動通信端末Ｂから所定範囲内に移動通信端末Ａが存在し、移動通信端末Ｆから所定範囲内に移動通信端末Ｉが存在している。移動通信端末Ｈは他の全ての移動通信端末から所定範囲を超えた場所にある。
【００４６】
図９は、図８の状態で移動通信端末Ｃが実行する近隣状態認識シーケンスを示す。図９において、移動通信端末Ｃは所定範囲内の移動通信端末ＢとペースメーカＰに対しリード要求信号を送信する。移動通信端末Ｂからはステータス「◎」又はステータス番号＃４の応答信号が返送され、ペースメーカＰからはステータス「×」又はステータス番号＃１の応答信号が返送される。
【００４７】
このため、移動通信端末Ｃにおいて応答信号を受信したＲＦＩＤタグのうち最もステータスが小さいＲＦＩＤタグのステータス又はステータス番号はペースメーカＰのステータス「×」又はステータス番号＃１であり、移動通信端末Ｃの次の状態はステータス「△」又はステータス番号＃２となる。
【００４８】
なお、図９においては、移動通信端末Ｃは移動通信端末ＢとペースメーカＰに対しリード要求信号を送信しているが、移動通信端末Ｃは自端末の内部ＲＦＩＤタグ１４に対してもリード要求を送信して、自端末の内部ＲＦＩＤタグ１４から応答信号を受信する構成であっても良い。これについては以降の図１０、図１１、図１３乃至図１５についても同様である。
【００４９】
図１０は、図８の状態で移動通信端末Ｂが実行する近隣状態認識シーケンスを示す。図１０において、移動通信端末Ｂは所定範囲内の移動通信端末Ａ，Ｃに対しリード要求信号を送信する。移動通信端末Ａからはステータス「◎」又はステータス番号＃４の応答信号が返送され、移動通信端末Ｃからはステータス「△」又はステータス番号＃２の応答信号が返送される。
【００５０】
このため、移動通信端末Ｂにおいて応答信号を受信したＲＦＩＤタグのうち最もステータスが小さいＲＦＩＤタグのステータス又はステータス番号は移動通信端末Ｃのステータス「△」又はステータス番号＃２であり、移動通信端末Ｂの次の状態はステータス「○」又はステータス番号＃３となる。
【００５１】
図１１は、図８の状態で移動通信端末Ａが実行する近隣状態認識シーケンスを示す。図１１において、移動通信端末Ａは所定範囲内の移動通信端末Ｂに対しリード要求信号を送信する。移動通信端末Ｂからはステータス「○」又はステータス番号＃３の応答信号が返送される。
【００５２】
このため、移動通信端末Ａにおいて応答信号を受信したＲＦＩＤタグのうち最もステータスが低いＲＦＩＤタグのステータス又はステータス番号は移動通信端末Ｂのステータス「○」又はステータス番号＃３であり、移動通信端末Ａの次の状態はステータス「◎」又はステータス番号＃４となる。
【００５３】
＜ペースメーカＰが移動したときのＲＦＩＤタグネットワーク構成＞
図１２はペースメーカＰが移動したときのＲＦＩＤタグネットワークの一実施形態の構成図を示す。図１２においては、移動通信端末Ａ，Ｂ，Ｃ，Ｄ，Ｅ，Ｆ，Ｇ，Ｈ，Ｉそれぞれの位置関係に変化がなく、ペースメーカＰが移動してペースメーカＰから所定範囲内に移動通信端末Ｂ，Ｃが存在する状態となっている。このため、移動通信端末Ｄ，ＥはペースメーカＰから所定範囲を超えた位置に存在する状態となっている。
【００５４】
図１３は、図１２の状態で移動通信端末Ｂが実行する近隣状態認識シーケンスを示す。図１３において、移動通信端末Ｂは所定範囲内の移動通信端末ＡとペースメーカＰと移動通信端末Ｃに対しリード要求信号を送信する。移動通信端末Ａからはステータス「◎」又はステータス番号＃４の応答信号が返送され、ペースメーカＰからはステータス「×」又はステータス番号＃１の応答信号が返送され、移動通信端末Ｃからはステータス「△」又はステータス番号＃２の応答信号が返送される。
【００５５】
このため、移動通信端末Ｂにおいて応答信号を受信したＲＦＩＤタグのうち最もステータスが低いＲＦＩＤタグのステータス又はステータス番号はペースメーカＰのステータス「×」又はステータス番号＃１であり、移動通信端末Ｂの次の状態はステータス「△」又はステータス番号＃２となる。
【００５６】
図１４は、図１２の状態で移動通信端末Ｂ，Ａが実行する近隣状態認識シーケンスを示す。図１４において、移動通信端末Ｂは所定範囲内の移動通信端末ＡとペースメーカＰと移動通信端末Ｃに対しリード要求信号を送信する。そして、図１３と同一シーケンスにより、移動通信端末Ａからはステータス「◎」又はステータス番号＃４の応答信号が返送され、ペースメーカＰからはステータス「×」又はステータス番号＃１の応答信号が返送され、移動通信端末Ｃからはステータス「△」又はステータス番号＃２の応答信号が返送される。移動通信端末Ｂにおいて応答信号を受信したＲＦＩＤタグのうち最もステータスが低いＲＦＩＤタグのステータス又はステータス番号はペースメーカＰのステータス「×」又はステータス番号＃１であり、移動通信端末Ｂの次の状態はステータス「△」又はステータス番号＃２となる。ここまでは図１３と同一である。
【００５７】
その後、移動通信端末Ａは所定範囲内の移動通信端末Ｂに対しリード要求信号を送信する。移動通信端末Ｂからはステータス「△」又はステータス番号＃２の応答信号が返送される。
【００５８】
このため、移動通信端末Ａにおいて応答信号を受信したＲＦＩＤタグのうち最もステータスが低いＲＦＩＤタグのステータス又はステータス番号は移動通信端末Ｂのステータス「△」又はステータス番号＃２であり、移動通信端末Ａの次の状態はステータス「○」又はステータス番号＃３となる。
【００５９】
図１５は、図１２の状態で移動通信端末Ｂ，Ｄが実行する近隣状態認識シーケンスを示す。図１４において、移動通信端末Ｂは所定範囲内のペースメーカＰと移動通信端末Ｃに対しリード要求信号を送信する。そして、図１３と同様のシーケンスにより、ペースメーカＰからはステータス「×」又はステータス番号＃１の応答信号が返送され、移動通信端末Ｃからはステータス「△」又はステータス番号＃２の応答信号が返送される。移動通信端末Ｂにおいて応答信号を受信したＲＦＩＤタグのうち最もステータスが低いＲＦＩＤタグのステータス又はステータス番号はペースメーカＰのステータス「×」又はステータス番号＃１であり、移動通信端末Ｂの次の状態はステータス「△」又はステータス番号＃２となる。ここまでは図１３と同様である。
【００６０】
その後、移動通信端末Ｄは、図８の状態で所定範囲内であった移動通信端末ＦとペースメーカＰに対しリード要求信号を送信する。移動通信端末Ｆからはステータス「○」又はステータス番号＃３の応答信号が返送される。しかし、図１２の状態となってペースメーカＰは移動通信端末Ｆから所定範囲を超えているために応答信号が返送されない。
【００６１】
このため、移動通信端末Ｄにおいて応答信号を受信したＲＦＩＤタグのうち最もステータスが低いＲＦＩＤタグのステータス又はステータス番号は移動通信端末Ｆのステータス「○」又はステータス番号＃３であり、移動通信端末Ｄの次の状態はステータス「◎」又はステータス番号＃４となる。
【００６２】
このように、複数の移動通信端末がＲＦＩＤタグネットワークを構成し、ペースメーカＰが特定の移動通信端末Ｂに近付いてくる場合、図８の状態で移動通信端末Ｂは送信信号の電波強度を通常とし、「ペースメーカ使用者が近付いてきました。」等の警報メッセージを提示する。その後、図１２の状態で移動通信端末Ｂは送信信号の電波強度を低下させ、「ペースメーカ使用者が隣にいます。」等の警報メッセージを提示する。
【００６３】
このため、移動通信端末Ｂの所有者は図８の状態でまわりの人間から遠ざかる等の通話を維持するための回避行動をとることが可能となる。また、移動通信端末ＢはペースメーカＰの接近により送信信号の電波強度を低下させたのち、ペースメーカＰが遠ざかったときには移動通信端末Ｂは自動的に送信信号の電波強度を通常に戻すことができる。
【００６４】
ところで、電車等の公共交通において、優先席の近傍に移動通信端末１０を固定配置しても良い。この場合、ペースメーカＰの使用者が優先席に着くと、固定配置した移動通信端末１０の内蔵ＲＦＩＤタグ１４はステータス「△」又はステータス番号＃２となる。この固定配置した移動通信端末１０から所定範囲に近付いた他の移動通信端末の内蔵ＲＦＩＤタグ１４はステータス「○」又はステータス番号＃３となって、「ペースメーカ使用者が近付いてきました。」等の警報メッセージを提示することができる。
（付記１）
無線通信部を備えた移動通信端末であって、
識別情報と状態情報を設定された内部ＲＦＩＤタグと、
自端末から所定範囲にあるＲＦＩＤタグの情報を読み取るＲＦＩＤタグ読み取り部と、
前記ＲＦＩＤタグ読み取り部で読み取ったＲＦＩＤタグの状態情報に基づいて前記内部ＲＦＩＤタグの状態情報を書き換えるＲＦＩＤタグ書き換え部と、
警報を提示する警報部と、
前記ＲＦＩＤタグ書き換え部で書き換えられた前記内部ＲＦＩＤタグの状態情報に基づいて前記無線通信部の出力電波強度を変更し前記警報部に警報を提示させる制御部と、
を有することを特徴とする移動通信端末。
（付記２）
付記１記載の移動通信端末において、
前記自端末から所定範囲にあるＲＦＩＤタグは、医療機器又は他の移動通信端末に設けられている
ことを特徴とする移動通信端末。
（付記３）
付記２記載の移動通信端末において、
前記ＲＦＩＤタグ書き換え部は、前記ＲＦＩＤタグ読み取り部で読み取ったＲＦＩＤタグの状態情報のうち最も許容程度が小さい値の状態情報に対し１つだけ大きい値の状態情報を用いて前記内部ＲＦＩＤタグの状態情報を書き換える
ことを特徴とする移動通信端末。
（付記４）
付記３記載の移動通信端末において、
前記制御部は、前記内部ＲＦＩＤタグの状態情報の値が所定値であるとき前記無線通信部の出力電波強度を低下させる
ことを特徴とする移動通信端末。
（付記５）
無線通信部と、識別情報と状態情報を設定された内部ＲＦＩＤタグと、警報を提示する警報部とを備えた移動通信端末の制御方法であって、
自端末から所定範囲にあるＲＦＩＤタグの情報を読み取り、
前記自端末から所定範囲にあるＲＦＩＤタグから読み取ったＲＦＩＤタグの状態情報に基づいて前記内部ＲＦＩＤタグの状態情報を書き換え、
書き換えられた前記内部ＲＦＩＤタグの状態情報に基づいて前記無線通信部の出力電波強度を変更し前記警報部に警報を提示させる
ことを特徴とする制御方法。
（付記６）
付記５記載の制御方法において、
前記自端末から所定範囲にあるＲＦＩＤタグは、医療機器又は他の移動通信端末に設けられている
ことを特徴とする制御方法。
（付記７）
付記６記載の制御方法において、
前記前記内部ＲＦＩＤタグの状態情報を書き換えは、前記自端末から所定範囲にあるＲＦＩＤタグから読み取ったＲＦＩＤタグの状態情報のうち最も許容程度が小さい値の状態情報に対し１つだけ大きい値の状態情報を用いて前記内部ＲＦＩＤタグの状態情報を書き換える
ことを特徴とする制御方法。
（付記８）
付記７記載の制御方法において、
前記前記無線通信部は、前記内部ＲＦＩＤタグの状態情報の値が所定値であるとき出力電波強度を低下する
ことを特徴とする制御方法。
（付記９）
付記４記載の移動通信端末において、
前記制御部は、前記内部ＲＦＩＤタグの状態情報の値が所定値であるときと、前記所定値より１つだけ大きい値であるときに前記警報部に警報を提示させる
ことを特徴とする移動通信端末。
（付記１０）
付記８記載の制御方法において、
前記前記警報部は、前記内部ＲＦＩＤタグの状態情報の値が所定値であるときと、所定値より１つだけ大きい値であるときに警報を提示する
ことを特徴とする制御方法。
【符号の説明】
【００６５】
１０  移動通信端末
１１  無線通信部
１２  ＲＦＩＤタグ読み取り部
１３  ＲＦＩＤタグ書き換え部
１４，３０  ＲＦＩＤタグ
１５  記憶部
１６  制御部
１７  警報部
２０  移動通信網
【図１】
2011030018.tif 000003
【図２】
2011030018.tif 000004
【図３】
2011030018.tif 000005
【図４】
2011030018.tif 000006
【図５】
2011030018.tif 000007
【図６】
2011030018.tif 000008
【図７】
2011030018.tif 000009
【図８】
2011030018.tif 000010
【図９】
2011030018.tif 000011
【図１０】
2011030018.tif 000012
【図１１】
2011030018.tif 000013
【図１２】
2011030018.tif 000014
【図１３】
2011030018.tif 000015
【図１４】
2011030018.tif 000016
【図１５】
2011030018.tif 000017